(57)【要約】  【課題】切断紙の余白の幅を任意に調整して切断することのできる紙裁断機を提供する。  【解決手段】紙載置台２の端縁に固定刃５を設け、同固定刃５の裏面側に案内レール４を配設する。案内レール４にスライダ９を摺動自在に配設し、同移動体８に回転丸刃６を有する回転刃ホルダー７ａ、アーム９を取り付ける。アーム９は、固定刃５を跨いで配設され、固定刃５に対して接離可能に配設した紙押え板１０を押圧する紙押え押圧部１５を取り付ける。紙押え板１０には切断紙の周囲に形成する余白の幅を調整する目盛り１０ａが、切断線と平行に形成されている。  【選択図】図２
2006198711.tif 000002
【特許請求の範囲】
【請求項１】
紙載置台（２、３１）上に載置した切断紙を紙載置台（２、３１）との間で押圧挟持する紙押え板（１０、３６）と、切断刃（６、３７）を装着したスライダ（７，８，９，１５ａ、３３）と、同スライダ（７，８，９，１５ａ、３３）を摺動自在に案内する案内レール（４、３２）とを有する紙裁断機において、
前記紙押え板（１０、３６）が透明な板又は半透明な板にて形成され、前記紙押え板（１０、３６）に前記切断刃（６、３７）の切断線と平行に形成した複数の線からなる目盛り（１０ａ、３６ａ）を形成してなることを特徴とする紙裁断機。
【発明の詳細な説明】
【技術分野】
【０００１】
本発明は、切断刃を案内レールに沿って摺動させ、紙載置台上に載置した切断紙を切断する紙裁断機に関する。
【背景技術】
【０００２】
従来から、切断刃を案内レールに沿って摺動させ、紙載置台上に載置した切断紙を切断する紙裁断機が用いられている。これらの紙裁断機において、切断紙を紙載置台や切断刃との間で押圧挟持する紙押え板は、透明材料、半透明材料、あるいは不透明材料から構成されているだけであった。このため、例えば、切断紙として印画紙を用いた場合に写真の周りに形成する余白の幅を所望の幅にして切断するのが難しかった。
【発明の開示】
【発明が解決しようとする課題】
【０００３】
本発明は、簡単な構造でありながら紙押え板で押圧挟持した切断紙の余白を切断縁から所望の幅とすることのできる紙裁断機を提供することにある。
【課題を解決するための手段】
【０００４】
本発明の課題は、以下の発明により達成することができる。
即ち、紙載置台上に載置した切断紙を圧接保持する紙押え板と、切断刃を装着したスライダと、同スライダを摺動自在に案内する案内レールとを有する紙裁断機において、前記紙押え板が透明な板又は半透明な板にて形成され、前記紙押え板に前記切断刃の切断線と平行に形成した複数の線からなる目盛りを形成してなることを最も主要な特徴となしている。
【発明の効果】
【０００５】
本発明では、透明又は半透明の材料により形成した紙押え板に、切断縁と平行な目盛りを形成したので、前記目盛りを見ながら余白の幅を簡単に測ることができ、しかも所望の余白幅を残した状態となるように切断紙の切断位置を調整することができる。
【０００６】
目盛りの形成としては、紙押え板の表面か裏面に形成することができ、例えば、紙押えの長手方向に切断刃による切断線と平行で、切断線からの距離として数ｍｍ間隔で形成することにより、複数本からなる目盛りを形成することができる。
【０００７】
このように構成することで、例えば、切断紙として写真が現像又は印刷された印画紙を用いる場合において、紙押え板を透して余白の幅を紙押え板の目盛りを見ながら調整することができる。即ち、写真の縁を基準にして前記目盛り線と重ね合わすことにより、重ね合わせた位置から固定刃までの長さを目盛りにより測ることで、余白の幅を調整することができる。
【発明を実施するための最良の形態】
【０００８】
本発明の好適な実施の形態について、添付図面に基づいて以下において具体的に説明する。尚、本発明は、以下に説明する実施例に限定されるものではなく、多様な変更が可能である。
【実施例１】
【０００９】
図１は、本願発明に係わる一つの実施例における紙裁断機の全体構成を示している。図１に示す紙裁断機１は、案内レールを紙載置台２の裏面側に配設し、紙載置台２上には案内レールを配設しない構成となっている。特に、支持部材１３ａの記載を省略した図２に示すように紙裁断機１は紙載置台２の端部において、表面側を紙載置台２の上面と略同一面となし、裏面側に案内レール４を取り付けた長尺の固定刃５が設けられている。固定刃５の表面側には、紙押え板１０が配設されている。紙押え板１０の両端部には、その長手方向に穿設された長孔が形成され、同長孔にはツバ付カラー部材２６が遊嵌されている。紙押え板１０は、ツバ付カラー部材２６に挿入したネジ２６ａ（特に、図３参照。）を介して紙載置台２に取り付けられている。
【００１０】
紙押え板１０の両端はツバ付カラー部材２６に遊嵌されているので、紙押え板１０を紙載置台２から離間する方向に引き上げることにより、紙押え板１０と紙載置台２との間に間隙を形成することができる。また、図１、２に示すように、紙押え板１０における固定刃５とは反対側の端縁は、紙載置台２上に載置した切断紙を挿入し易くガイドするため、挿入口を開口させた傾斜面に形成されている。
【００１１】
図１〜図３に示すように、紙押え板１０は透明な板にて構成され、同紙押え板１０の表面側又は裏面側に、固定刃５の切断線と平行な目盛り１０ａが形成されている。透明な紙押え板１０を透して目盛り１０ａの線を利用して余白部の幅を調整することができる。紙押え板１０を透して切断紙の端部等を視認することができるものであれば、紙押え板１０としては透明な板以外にも半透明な板等により構成することができる。
【００１２】
図１に示すように、紙載置台２の両側縁には、支持部材１３ａ、１３ｂが配設され、案内レール４に沿って摺動する紙押え押圧部１５等の抜け止めを構成している。また、各支持部材１３ａ、１３ｂの端面は、それぞれカバー１４によって被覆されている。紙載置台２の一側縁側には、切断紙の片側位置を規制するガイド片３が、ネジ２４により固定されている。
【００１３】
図２に示すように、固定刃５は、Ｌ字状の形状を有し、Ｌ字状の上面を紙載置台２の上面と略面一にして、図示せぬネジ等により紙載置台２に固定されている。固定刃５の裏面側には、略コ字状の案内レール４が図示せぬネジ等により固定されている。固定刃５の下部には、ダストトレイ２５が紙載置台２の端部に取り付けられている。
【００１４】
紙載置台２の両側端縁に配設した各支持部材１３ａ、１３ｂの一端部には図示せぬ支軸が形成され、同支軸は紙載置台２の裏面側に収納自在に配設した補助紙載置台２２の端部における回動支軸となっている。
【００１５】
図３に示すように、案内レール４の溝には移動体８が摺動自在に配設され、同移動体８には、回転刃ホルダー７及びアーム９がネジ等を介して取り付けられている。即ち、アーム９は固定刃５を跨いで、固定刃５の裏面側に配した移動体８と結合し、回転刃ホルダー７はアーム９とは別体で、固定刃５を跨いで、固定刃５の裏面側に配した移動体８と結合している。図１、図２においては、回転刃ホルダー７は、アーム９に取り付けた上下一対のカバー１５ａ内に収納されている。
【００１６】
図３に示すように回転刃ホルダー７には、回転丸刃６が軸６ａにより回転自在に支持されている。同回転丸刃６の軸６ａは、固定刃５の上面よりの上方に配設されている。これにより、回転丸刃６の切断時、固定刃５と紙押え板１０との間で挟持した切断紙を回転丸刃６によりダウンカットすることができる。
【００１７】
アーム９には、紙押え板１０を押圧する紙押え押圧部１５が設けられている。紙押え押圧部１５は、図１、図２においては上下一対のカバー１５ａ内に配設されている。図３に示すように、紙押え押圧部１５としては、押圧ローラ１６、同押圧ローラ１６を回転自在に支持するローラホルダー１６ａ、ローラホルダー１６ａを紙押え板１０側にバネ付勢する図示せぬ板バネ等から構成されている。前記ローラホルダー１６ａは、前記板バネを介してアーム９に取り付けられる。
【００１８】
実施例１の紙裁断機１においては、移動体８と共に摺動する回転刃ホルダー７、アーム９、紙押え押圧部１５、及び上下一対のカバー１５ａによって、スライダが構成されている。
【００１９】
前記押圧ローラ１６による紙押え板１０の押圧部位は、回転丸刃６と固定刃５との切断位置よりも、回転丸刃６の切断方向前方に構成されている。これにより、切断位置の前方で紙押え板１０を押圧しながら、回転丸刃６と固定刃５とにより、切断紙の切断を行うことができ、切断時における切断紙の位置ずれ等を確実に防止することができる。
【００２０】
図１、図２に示すように上下一対のカバー１５ａには、把手１２が形成されている。また、同把手１２の周縁部には、同把手１２を押圧操作する手等との接触状態を良好にするラバー部１２ａが配設されている。
【００２１】
把手１２を押圧することにより、上下一対のカバー１５ａ等を案内レール４に沿って摺動させることができる。これにより、回転丸刃６と固定刃５とにより、固定刃５と紙押え板１０との間に挟持した切断紙を切断することができる。また、切断された切断片は、ダストトレイ２５内に収納することができる。
【００２２】
図１〜図３に示すように、紙押え板１０の裏面側には切断線からの距離を示す目盛り１０ａが複数本形成されている。紙押え板１０と紙載置台２との間に挿入した切断紙の切断位置を、紙押え板１０ｂの目盛り１０ａを見ながら調整することで、所望の余白を有した状態に切断紙を切断することができる。
【００２３】
これにより、紙押え板１０に形成した目盛り１０ａに、例えば、写真の印画紙における写真の縁を目盛り１０ａの線に合わせることで、写真の周りに形成する余白の幅を任意に調整することができる。即ち、写真の縁を固定刃５の切断縁から所定距離だけ離した位置で同写真を印刷した印画紙を切断することで、写真の周りの余白の幅を前記写真の縁を固定刃５の切断縁から所定距離に応じて形成することができる。
【実施例２】
【００２４】
図４では、本願発明に係わる紙裁断機１の全体斜視図を示し、図５では、図４のＢ−Ｂ断面図を示している。また、図６には、図４の一部平面図である紙押え板３６の構成を示している。
【００２５】
図４に示すように、紙載置台３１の一端部側にはスライダ３３を摺動案内する案内レール３２が配設されている。案内レール３２の両端は、紙載置台３１に固定された支持部材３４及び３５により上下動可能に設けられている。
【００２６】
案内レール３２の下側に位置して紙押え板３６が案内レール３２とは独立して紙載置台３１に対して垂直方向に上下動可能に設けられている。案内レール３２にはスライダ３３が摺動自在に装着されている。
【００２７】
図５に示すように、スライダ３３は案内レール３２に嵌合されてスライド可能に配設され、スライダ３３により回転可能に支持した回転丸刃３７の側面が紙押え板３６の側縁に接するように配設されている。同紙押え板３６の側縁が、回転丸刃３７による切断線となっている。また、回転丸刃３７の刃が当たる紙載置台３１には回転丸刃 ３７の刃先を保護するためのラバー３８が設けられている。
【００２８】
図４の一部を図６に示すように、紙押え板３６は透明な長尺の板から構成され、紙押え板３６の裏面側には、前記切断線から数ｍｍ間隔で平行に引かれた目盛り３６ａが形成されている。紙押え板３６を透して先端紙の余白を形成する部位が見ることのできるものであれば、紙押え板３６を半透明の材料にて構成することも、目盛り３６ａを紙押え板３６の表面に形成することもできる。
【００２９】
図４、図５に示すように、スライダ３３を押圧することで、案内レール３２を支持部材３４、３５に案内されて紙載置台３１に対して平行に下降させることができ、同時に紙押え板３６を下降させて、紙押え板３６と紙載置台３１との間に切断紙を挟持することができる。
【００３０】
このとき、切断紙の挟持を多少弱め、切断紙を紙押え板３６と紙載置台３１との間において位置調整を行い、切断紙に形成する余白の幅を前記目盛り３６ａを見ながら調整することができる。切断紙の位置調整が終わったら切断紙を紙押え板３６と紙載置台３１とで挟持し、この状態でスライダ３３を案内レール３２に沿って摺動させることにより、紙押え板３６と紙載置台３１との間に挟持した切断紙を所定の余白を残して回転丸刃３７により切断することができる。
【００３１】
スライダ３３の押圧を解除すると、案内レール３２は図示せぬ駆動機構により上方に移動する。このとき、紙押え板３６は図示せぬ案内部材に案内されながら図示せぬストッパ部材が案内レール３２に当接するまで、圧縮バネ３９により紙載置台３１に対して垂直方向に上昇する。このように、実施例２における紙裁断機１では、紙載置台３１の上面と紙押え板３６とが平行になってその間に間隙が形成できるように構成されている。
【００３２】
尚、本願実施例では、紙押え板に形成する目盛り１０ａ、３６ａを数ｍｍ間隔に形成する旨記載したが、目盛りを１ｍｍ間隔で形成することもインチ等の他の長さ単位間隔で形成することもできる。
【産業上の利用可能性】
【００３３】
本願発明は、紙裁断機と同様な構成を有する装置等に本願発明の技術を適用することができる。
【図面の簡単な説明】
【００３４】
【図１】紙裁断機の全体斜視図である。（実施例１）
【図２】一方の支持部材を省略した紙裁断機の斜視図である。（実施例１）
【図３】スライダの要部斜視図である。（実施例１）
【図４】紙裁断機の全体斜視図である。（実施例２）
【図５】図４のＢ−Ｂ断面図である。（実施例２）
【図６】図４の要部平面図である。（実施例２）
【符号の説明】
【００３５】
１          紙裁断機
２          紙載置台
３          ガイド片
４          案内レール
５          固定刃
６          回転丸刃
７          回転刃ホルダー
８          移動体
９          アーム
１０          紙押え板
１０ａ        目盛り
１２          把手
１２ａ        ラバー部
１３ａ、ｂ    支持部材
１４          カバー
１５          紙押え押圧部
１５ａ        上下カバー
１６          押圧ローラ
１６ａ        ローラホルダー
２２          補助紙載置台
２２ａ        係止片
２４          ネジ
２５          ダストトレイ
２６          ツバ付カラー部材
３１          紙載置台
３２          案内レール
３３          スライダ
３４、３５    支持部材
３６          紙押え板
３６ａ        目盛り
３７          回転丸刃
３８          ラバー
３９          圧縮バネ
【図１】
2006198711.tif 000003
【図２】
2006198711.tif 000004
【図３】
2006198711.tif 000005
【図４】
2006198711.tif 000006
【図５】
2006198711.tif 000007
【図６】
2006198711.tif 000008